(57)【特許請求の範囲】
【請求項１】
電子機器（１１）の実行処理でセキュリティを必要とするデータが記憶されるＲＡＭ（１２）と、
前記ＲＡＭに対し外部からの電源断時にデータをバックアップする電池（Ｂ）と、
前記電子機器の扉（１３ｂ）を施解錠する錠前（１４）と、
前記錠前により扉が施錠された状態で前記電池に接続され、該扉が解錠された状態で接地側に切り替えられる鍵スイッチ（１）と、
所定の電荷を蓄え、放電時に該電荷量に対応して所定期間対応する信号を出力するコンデンサ（Ｃ）と、
前記コンデンサの放電による信号入力に基づき前記電池（Ｂ）によるＲＡＭのデータのバックアップを所定時間遮断して該データを消去するＲＡＭ電源断回路（１０）と、
前記電子機器の扉が閉じられた状態で前記コンデンサ（Ｃ）と前記鍵スイッチを接続し、該扉が開かれた状態でコンデンサを前記ＲＡＭ電源断回路に切り替えられる扉スイッチ（２）と、
を具備したことを特徴とする扉開閉検知装置。
【請求項２】
前記電池（Ｂ）と前記鍵スイッチ（１）との間に電池側への逆流防止用のダイオード（Ｄ）が設けられ、
前記ダイオードの後段には、電子機器（１１）に対する電源供給時に回路電圧に相当する電源が外部から供給され、該外部電源により前記ＲＡＭ（１２）のバックアップ及びコンデンサ（Ｃ）が充電される構成とされた請求項１記載の扉開閉検知装置。
【発明の詳細な説明】
【０００１】
【発明の属する技術分野】
本発明は、電子機器の扉の開閉を検知して不正な開放時に電子機器内部のデータを保護できる電子機器の扉開閉検知装置に関する。
【０００２】
【従来の技術】
機密保護を必要とするデータを扱う取引処理装置等の電子機器には、この電子機器の扉の開閉を検知する扉開閉検知装置が設けられている。
前記データはＲＡＭに書き替え可能に記憶され、このＲＡＭはリチウム電池等のバックアップ電池でデータをバックアップしている。
この電子機器は、ＡＣ１００Ｖ等の商用電源、及び内蔵され内部回路を作動させるニッカド電池等の作動用電池の電源に基づき、機器の筐体が不正に開けられたときバックアップ電池の電源供給を遮断してデータを消去し、あるいは書き替えてこのデータの不正な読み出しを防止するデータ保護機能を有する構成のものがある。
【０００３】
図３は、従来の扉開閉検知装置を示す回路図である。
電子機器の扉の鍵は、鍵スイッチ１に連結され鍵の開放時に接点が開く。また、扉スイッチ２は筐体に設けられ扉の開放時に接点が閉じる。
そして、鍵スイッチ１及び扉スイッチ２が閉じた状態、即ち、鍵が閉じた状態のまま扉が開けられ内部が不正に開けられたときに、リチウム電池からなる消去用電池Ｂの電源がＲＡＭ電源断回路１０に供給する。
これを受けてＲＡＭ電源断回路１０は、ＲＡＭへの電源供給を遮断して記憶されているデータを消去する構成である。
【０００４】
また、他の扉開閉装置は、上記扉スイッチ２を筐体側に設けられたリードＳＷで構成し、扉側にマグネットを設ける構成とし、扉が閉じられているとき接点が開き、正常な扉の開放時に一時的に接点が閉じた後、扉の開放で再度接点が開く構成である。
上記作用は、扉の開放時に一時的にマグネットがリードＳＷ部分を通過するよう、マグネット及びリードＳＷを配置することにより得られる。
【０００５】
【発明が解決しようとする課題】
しかしながら、上述したデータ保護機能を有する電子機器であっても、商用電源の停電時や作動用電池の消耗時等、電源供給が絶たれた時には、ＲＡＭに対するデータ消去を実行（通常はソフトウェアによる消去処理）すること自体が行えない不都合がある。
このように、商用電源及び作動用電池からの電源供給が無い状態においてはＲＡＭのデータがバックアップ電池でバックアップされた状態となっており、不正にＲＡＭデータが読み出される恐れがある。
【０００６】
これを防止するため、前記第１の扉開閉装置が考えられたが、この装置では、扉が開いた状態（扉スイッチ２が閉）のままで、鍵が閉じた（鍵スイッチ１が閉）となったとき、ＲＡＭのデータが誤って消去されてしまう問題があった。
具体例をあげて説明すると、電子機器の保守担当者による内部の保守時には、まず鍵を開け（鍵スイッチ１が開）た後に、扉を開いて（扉スイッチ２が閉）作業を行うが、扉を開いたままの状態で誤って鍵を閉じると消去用電池ＢでＲＡＭ電源断回路１０が作動し、ＲＡＭのデータが誤って消去される問題があった。
【０００７】
保守者は、この鍵を紛失しないよう常時身に付けているが、保守の途中でこの電子機器から若干の時間離れる用事があったとき、錠前に差し込んである鍵を持っていこうとして鍵が抜ける位置（鍵を閉じる位置）に回してしまうことがある。
これにより鍵スイッチ１が閉じてＲＡＭのデータが誤って消去されることが頻発していた。
【０００８】
第２の扉開閉装置では、正常に鍵が開けられた状態で（鍵スイッチ１が開）、扉が開けられた（扉スイッチ２が開〜閉〜開）ときには鍵が閉じられ鍵スイッチ１が閉じられてもＲＡＭのデータの消去が防止されている。
また、不正時、鍵が閉じられた状態で（鍵スイッチ１が閉）、内部が開けられると、即ち扉スイッチ２が開〜閉になったとき、消去用電池Ｂの電源によりＲＡＭ電源断回路１０に流れＲＡＭのデータが消去されるようになっている。
【０００９】
この扉スイッチ２が閉になるタイミングは扉が開けられる途中の一瞬だけであるため、例え前記保守の作業者が扉を開けた状態のまま鍵を閉じても、扉スイッチ２が開状態であるため、ＲＡＭデータが誤って消去されることがない。
同時に、消去用電池Ｂの消耗が防止でき、確実にＲＡＭのデータを保護（データ消去によるセキュリティの確保）が行えるようになっている。
【００１０】
しかしながら、このような作用を得るためには、扉スイッチ２にリードＳＷを使用しなければならず高価であり、また扉の開放動作に合わせてマグネット及びリードＳＷいずれの配置位置も精密に調整しなければならず組み立てに手間がかかるものであった。
また、組み立て後に扉のガタつきが生じると、この扉に設けられたマグネットが移動してリードＳＷが閉じるとＲＡＭデータが消去される恐れがある。
さらに、扉を速く開放すると、リードＳＷが閉じる（扉スッチ２が閉）時間が短くいため、ＲＡＭへの電源供給をこの短時間しか遮断することができず、データを消去するに足りる時間を確保できないことがあった。このときＲＡＭのデータは消去されず不正利用される恐れがある。
【００１１】
本発明は、上記課題を解決するためになされたものであり、内部が不正に開けられても記憶されているデータのセキュリティを確保でき、これを簡単かつ低コストに構成できる電子機器の扉開閉検知装置を提供することを目的としている。
【００１２】
【課題を解決する手段】
上記目的を達成するため、本発明の電子機器の扉開閉検知装置は、請求項１記載のように、電子機器（１１）の実行処理でセキュリティを必要とするデータが記憶されるＲＡＭ（１２）と、
前記ＲＡＭに対し外部からの電源断時にデータをバックアップする電池（Ｂ）と、
前記電子機器の扉（１３ｂ）を施解錠する錠前（１４）と、
前記錠前により扉が施錠された状態で前記電池に接続され、該扉が解錠された状態で接地側に切り替えられる鍵スイッチ（１）と、
所定の電荷を蓄え、放電時に該電荷量に対応して所定期間対応する信号を出力するコンデンサ（Ｃ）と、
前記コンデンサの放電による信号入力に基づき前記電池（Ｂ）によるＲＡＭのデータのバックアップを所定時間遮断して該データを消去するＲＡＭ電源断回路（１０）と、
前記電子機器の扉が閉じられた状態で前記コンデンサ（Ｃ）と前記鍵スイッチを接続し、該扉が開かれた状態でコンデンサを前記ＲＡＭ電源断回路に切り替えられる扉スイッチ（２）と、
を具備したことを特徴とする。
【００１３】
また、請求項２記載のように、前記電池（Ｂ）と前記鍵スイッチ（１）との間に電池側への逆流防止用のダイオード（Ｄ）が設けられ、
前記ダイオードの後段には、電子機器（１１）に対する電源供給時に回路電圧に相当する電源が外部から供給され、該外部電源により前記ＲＡＭ（１２）のバックアップ及びコンデンサ（Ｃ）が充電される構成としてもよい。
【００１５】
電子機器１１の扉１３ｂが閉じられ錠前１４が施錠された状態でコンデンサＣには、外部から供給される電源で充電され、ＲＡＭ１２のデータもバックアップされている。停電等で外部電源が遮断されたときには電池Ｂにより同様にコンデンサＣの充電と、ＲＡＭ１２のデータバックアップがなされる。
作業員による保守時には、まず錠前１４が解錠されると対応してコンデンサＣの電荷が放電される。この後、扉１３ｂが開かれると扉スイッチ２はコンデンサＣをＲＡＭ電源断回路１０に接続するが、コンデンサＣは既に放電されており、ＲＡＭ電源断回路１０が作動することなくＲＡＭ１２のデータが消去されることはない。
この後作業員が用事等で電子機器１１から離れ、扉１３ｂが開いた状態で錠前１４から鍵を抜くと（施錠位置）、鍵スイッチ１が電池Ｂに接続されるが、扉スイッチ２が鍵スイッチ１と接続されておらず、ＲＡＭ電源断回路１０が作動することなくＲＡＭ１２のデータが誤って消去されることはない。
装置が不正に開けられたときには、錠前１４が施錠状態のまま扉１３ｂが開けられるため、扉スイッチ２がコンデンサＣをＲＡＭ電源断回路１０に接続すると、コンデンサＣの電荷がＲＡＭ電源断回路１０に供給され、ＲＡＭ電源断回路１０は、ＲＡＭ１２に対する電源のバックアップを所定時間遮断してＲＡＭ１２のデータを消去させてデータのセキュリティを確保する。
【００１６】
【発明の実施の形態】
図１は、本発明の扉開閉検知装置を示す回路図である。
リチウム電池からなる消去用バッテリＢは、逆流防止用のダイオードＤを介して鍵スイッチ１の一方の端子に接続される。
鍵スイッチ１の他方の端子は接地されている。この鍵スイッチ１の共通端子は扉スイッチ２の一方の端子に接続されている。
【００１７】
扉スイッチ２の共通端子にはコンデンサＣの＋端子が接続されており、このコンデンサの他端は接地されている。
ＲＡＭ電源断回路１０は、Ｈレベルの信号入力時にＲＡＭの電源を遮断し、記憶されていたデータを消去する。
【００１８】
図２は、電子機器の外観を示す斜視図である。
この電子機器１１は、商品販売業務に用いられる取引処理装置であり、商品売上時に操作部１１ａを操作して所定の処理を行う。
このとき、顧客が有する磁気カード等が挿入口１１ｂから取り込まれ、内部のカードリーダで個人情報等が読み取られる。
そして個人情報を含む売上情報は、回線を介して中央に送出されるとともに、装置内部のＲＡＭ１２に記憶される。このため、このＲＡＭに記憶されたデータはセキュリティを確保する必要がある。
【００１９】
この電子機器１１は、筐体が基部１３ａと扉部１３ｂの２分割で構成され、基部１３ａに対し扉部１３ｂが開放自在である。
基部１３ａには、この基部１３ａに対し扉部１３ｂを固定する錠前（シリンダー錠）１４が設けられる。錠前の回転する内筒１４ａには扉部１３ｂに係合する係合片１４ｂが設けられ、専用の鍵をこの錠前１４に差し込み回転させることにより、係合片１４ｂが扉部１３ｂから外れ内部を開放することができる。
【００２０】
この錠前１４の内部にには前記鍵スイッチ１が設けられる。
鍵スイッチ１は、基部１３ａ側に固定されたマイクロスイッチで構成され、錠前１４に固定された係合片１４ｂに接触する位置に配置される。
そして、錠前１４が施錠された状態（図２の如く内筒１４ｂが鉛直方向に位置し扉部１３ｂに係合している状態）で係合片１４ｂは鍵スイッチ１に接触しておらず、接点は図１に示す如く消去用バッテリＢ側に位置している。
一方、錠前１４が解錠されたとき、係合片１４ｂは鍵スイッチ１を押して接点を接地側に切り替える。
このように、鍵スイッチ１の接点は、施錠時には図１の如く消去用バッテリＢと扉スイッチ２とを接続し、解錠時には接地される。
【００２１】
また、電子機器１１の内部には扉スイッチ２が設けられる。
扉スイッチ２は、基部１３ａ側に固定されたマイクロスイッチで構成され、扉部１３ｂ側から突出する突起１５が接触する位置に配置される。
そして、扉部１３ｂが基部１３ａに取り付けられた状態（図２の如く閉じた状態）で突起１５が扉スイッチ２を押した状態であり、接点は図１に示す如く消去用バッテリＢ側の回路に切り替えられている。
前述したが、扉スイッチ２の接点は扉部１３ｂが閉じられているとき鍵スイッチ１とコンデンサＣとを接続し（回路を閉じ）、扉部１３ｂが開かれているときコンデンサＣとＲＡＭ電源断回路１０を接続する。
【００２２】
次に、上記電子機器の動作について説明する。
電子機器１１は、前記商用電源等が通電状態にあるとき、この電源でＲＡＭ１２のデータをバックアップしており、この通電状態で扉が不正に開けられたとき、処理手段はソフトウェア側の不正防止用プログラムを実行してＲＡＭ１２のデータを書き替える処理を行う。
【００２３】
また、この通電時には、図１の接点位置状態にある回路に対し、ダイオードＤの後段から同電源に基づき回路電圧に適合した電圧の電源を供給しており、消去用バッテリＢの消耗を防いでいる。このとき、コンデンサＣはこの電源により所定の電荷が蓄えられる。
【００２４】
次に、電子機器１１のＲＡＭ１２のデータのセキュリティ確保の動作について説明する。
鍵スイッチ１及び扉スイッチ２の各接点は図１に示す位置にあり、消去用バッテリＢがコンデンサＣに接続され、コンデンサＣが所定の電荷（充電状態）にある。
また、この消去用バッテリＢは、ＲＡＭ１２に電源を供給してデータをバックアップしている。
【００２５】
通常に保守作業を行うときには、まず、作業者が有する鍵を錠前１４に差し込み回転させて扉部１３ｂを開ける。これに伴い、鍵スイッチ１の接点が切り替えられて接地し、消去用バッテリＢが回路から切り離されるとともに、コンデンサＣに蓄えられた電荷がこの鍵スイッチ１を介して放電される。
【００２６】
この後、扉部１３ｂを開放すると、扉スイッチ２が切り替えられコンデンサＣがＲＡＭ電源断回路１０の他方に接続される。このときコンデンサＣは放電しておりＬレベルがＲＡＭ電源断回路１０に入力され、ＲＡＭ電源断回路１０は非作動状態に維持される。
【００２７】
電子機器１１内部の保守作業を行う最中は、鍵を錠前１４に差し込み回転させた状態で行われる。錠前１４は、鍵を回転させている状態では抜けない構造となっている。
そして、保守作業の途中で作業者がこの電子機器１１から離れる用事ができた場合には、鍵を一緒に持っていくことが多い。このとき、錠前１４から鍵を抜くためこの鍵を回すと鍵スイッチ１が消去用バッテリＢに接続される側に切り替わる。
このように扉を開けた状態で再度鍵を回した場合には、扉スイッチ２が消去用バッテリＢから切り離されている状態であり、ＲＡＭ電源断回路１０は作動せず、誤ってＲＡＭのデータが消去されることがない。
【００２８】
この後、内部の保守作業が終了すると、まず扉部１３ｂを閉じてから鍵をかけて終了する。対応して扉スイッチ２の接点がコンデンサＣから鍵スイッチ１側に切り替わり（この状態でコンデンサＣは鍵スイッチ１を介して接地されている）、この後、鍵スイッチ１が消去用バッテリ１側に切り替わる。
鍵スイッチ１，扉スイッチ２の接点は、図１の状態に復帰した状態で電子機器１１が再び電源で動作し始める。これにより、電源はコンデンサＣを再び充電する。
【００２９】
次に、電子機器１１が不正に開けられたときの動作を説明する。
錠前１４が施錠されている状態で、鍵スイッチ１が解錠される以前に扉部１３ｂがこじ開け等で開放されると、扉スイッチ２が切り替わりコンデンサＣに蓄えられていた電荷（Ｈレベル）がＲＡＭ電源断回路１０に入力される。
これにより、ＲＡＭ電源断回路１０が作動し、ＲＡＭ１２の電源を遮断してこのＲＡＭ１２に記憶されていたデータを消去する。
【００３０】
このとき、ＲＡＭ電源断回路１０は消去用バッテリＢを電源として所定時間作動してＲＡＭ１２に対し電源を遮断することにより、記憶されていたデータを消去する。
ＲＡＭ１２は電源断で直ちに消去しない特性があり、一般的にソフトウェアによる書き替えに比して長い時間かかる（例えば２〜３秒）。よって、コンデンサＣは、少なくともこの期間中、ＲＡＭ消去用回路１０を作動させるだけの電荷を有するものを用いる必要がある。
【００３１】
このようにして電子機器１１に対し、扉１３ｂが不正に開けられても、ＲＡＭ１２に記憶されていたデータのセキュリティを確保することができる。
上記説明では、扉スイッチ２の開放でコンデンサＣの電荷による信号入力でＲＡＭ電源断回路１０が作動する構成であるが、このコンデンサＣの放電開始からＲＡＭ１２のデータ消去にかかる時間経過後（前記２〜３秒後）に、錠前１４が解錠（鍵スイッチ１が接地）されても、既にＲＡＭ１２のデータは消去されており、コンデンサＣの電荷が鍵スイッチ１を介して接地に放電され、ＲＡＭ１２の消去が不完全となる恐れはない。
【００３２】
尚、上記実施の形態では、電子機器１１の扉部１３ｂに扉スイッチ２を設けた構成としたが、これに代えて蓋部が設けられる電子機器１１ではこの蓋部に蓋部スイッチを設ける構成とすればよい。
また、上述の例では取引処理装置について説明したが、取引処理装置に限らずこの他、ＲＡＭにセキュリティを必要とするデータが記憶された電子機器にも同様に適用してＲＡＭデータのセキュリティを確保できるようになる。
【００３３】
【発明の効果】
本発明によれば、電子機器の扉が施錠状態のまま前記扉が開放されたときには、電池でデータがバックアップされているＲＡＭに対する電源供給を所定時間遮断し、ＲＡＭに記憶されていたデータを消去する構成であり、データの不正な読み出しを防止してセキュリティを確保することができる。
上記効果は、バックアップで用いる電池と、２個のスイッチと、コンデンサによる簡単な回路構成で得ることができ、スイッチも安価な接点切り替えのものを用いることができ、低コスト化を図ることができる。
また、作業員等による通常の保守時において鍵を解錠してから扉を開ける作業では、ＲＡＭのデータが消去されることがない。この後、扉が開けられた状態で作業員が電子機器から離れる等で鍵を抜こうと施錠位置に戻した場合であっても、ＲＡＭのデータを誤って消去することが防止できるようになる。
さらに不正時のＲＡＭデータの消去は、それまでコンデンサに蓄えられていた電荷に基づきＲＡＭ電源断回路が起動して実行されるため、扉の開放速度や開放状態にかかわらず確実に消去を実行できるようになる。
尚、電子機器を動作する電源が供給されている間は、本検知装置の回路、特にコンデンサはこの電源で充電されるよう構成することによりバックアップ用の電池の消耗を抑えられる。
【図面の簡単な説明】
【図１】本発明の扉開閉検知装置の実施の形態を示す回路図。
【図２】同扉開閉検知装置が適用される電子機器の外観を示す斜視図。
【図３】従来の扉開閉検知装置を示す回路図。
【符号の説明】
１…鍵スイッチ、２…扉スイッチ、１０…ＲＡＭ電源断回路、１１…電子機器、１２…ＲＡＭ、１３ａ…基部、１３ｂ…扉部、１４…錠前、１４ａ…内筒、１４ｂ…作動片、１５…突起、Ｂ…消去用バッテリ、Ｄ…ダイオード、Ｃ…コンデンサ。
【図１】
0003616796.tif 000002
【図２】
0003616796.tif 000003
【図３】
0003616796.tif 000004